(57)【要約】  ファイバー分配を管理および編成するための、ファイバートレイが開示される。このファイバートレイは、ハウジング、およびハウジング内に受容される引き出しを含む、ハウジングは、装置ラックに固定される。ハウジングは、滑り機構を備える内側側面を含み、この滑り機構は、各内側側面の長さに延在する。滑り機構は、第１端部および第２端部を含む。滑り機構はまた、第１端部および第２端部の一方に配置される、少なくとも１つの湾曲経路も含む。引き出しは、底面、第１側面、第２側面、前面、および背面を含む。この引き出しの第１側面および第２側面は、ピンを有する。引き出しの側面から延出するピンが、滑り機構内部で滑動して、引き出しを後退させるか、ハウジングから延伸、または取り外すことを可能にする。
2013511069.tif 000002
【特許請求の範囲】
【請求項１】
ファイバー分配を管理するための、ファイバートレイであって、該ファイバートレイは、
ラックに固定されるように適合されたハウジングであって、該ハウジングは滑り機構を備えた内側側面を含み、前記滑り機構が前記内側側面の長さに延在し、
前記滑り機構が第１端部および第２端部を含み、前記滑り機構が前記第１端部および前記第２端部の一方において、少なくとも１つの湾曲経路を含んだ、ハウジングと、
該ハウジング内に受容される引き出しであって、該引き出しは、底面、第１側面、第２側面、前面、および背面を含み、前記第１側面および前記第２側面が、前記滑り機構内部で滑動するためのピンを備えた、引き出しと、
を具備していることを特徴とするファイバートレイ。
【請求項２】
前記滑り機構が、前記第１端部および前記第２端部での湾曲経路と、前記滑り機構内の、前記第１端部から前記第２端部に延びる直線経路と、を備えていることを特徴とする請求項１に記載のファイバートレイ。
【請求項３】
前記滑り機構が、各湾曲経路の端部から前記直線経路に延びた垂直経路を更に含んでいることを特徴とする請求項２に記載のファイバートレイ。
【請求項４】
前記湾曲経路が、第１端部および第２端部を有するＣ形状の経路であることを特徴とする請求項１に記載のファイバートレイ。
【請求項５】
前記滑り機構が、前記ハウジングからの前記引き出しの取り外しおよび配置を制御するための、前記湾曲経路の第１端部での突起を更に含んでいることを特徴とする請求項１に記載のファイバートレイ。
【請求項６】
前記滑り機構が、前記引き出しを完全に延伸させる場合に、前記引き出しを停止させるための一次的停止壁部と、前記引き出しが前記湾曲経路に尚早に入り込むことを防止するための二次的制止壁部と、を含んでいることを特徴とする請求項１に記載のファイバートレイ。
【請求項７】
前記一次的停止壁部、前記二次的制止壁部、および前記湾曲経路が、前記引き出しの移動を制御および維持していることを特徴とする請求項６に記載のファイバートレイ。
【請求項８】
前記滑り機構が、前記第１端部および前記第２端部での一次的停止壁部と、各端部での前記一次的停止壁部間に延びた直線経路と、を含んでいることを特徴とする請求項１に記載のファイバートレイ。
【発明の詳細な説明】
【技術分野】
【０００１】
関連出願の説明
本出願は、２００９年１１月１２日に出願された米国仮特許出願第６１／２６０，６８０号への優先権を主張し、その主題は、参照により全て本明細書に組み込まれる。
【０００２】
本発明は、ファイバートレイに関し、より詳細には、ファイバートレイ内の引き出しのための滑り機構に関する。
【背景技術】
【０００３】
ファイバートレイは、スペースが限られている領域内でのファイバー分配を、管理および編成するように設計される。ファイバートレイは、ラック上に設置されるハウジングを含む。引き出しがハウジングから延伸し、その引き出し内に経路付けされるケーブルへのアクセスを提供する。しかしながら、引き出し上に設置されるファイバーおよびファイバー管理付属品の重量のために、完全に設置された引き出しは、延伸位置に維持することが困難である。また、確実に停止しない引き出しは、引き出しが非意図的に取り外された場合には、ファイバーへの損傷を引き起こす恐れもある。それゆえ、延伸位置に維持することが可能な引き出しを、設置することが望ましい。
【発明の概要】
【発明が解決しようとする課題】
【０００４】
多くの場合、ケーブル管理のために引き出しを取り外し、再び引き出しを設置することが必要である。ある引き出しは、取り外しが困難であるか、または永久的にハウジングに取り付けられており、この場合、ファイバーの設置のための十分なスペースが提供されない。それゆえ、引き出しが、ハウジングから容易に取り外され、かつハウジング内に容易に再設置されることもまた、望ましい。
【課題を解決するための手段】
【０００５】
ファイバー分配を管理および編成する、ファイバートレイが開示される。このファイバートレイは、ハウジング、およびハウジング内に受容される引き出しを含む。ハウジングは、ラックに固定される。ハウジングは、滑り機構を備える内側側面を含み、この滑り機構は、各内側側面の長さに延在する。滑り機構は、第１端部および第２端部を含む。滑り機構はまた、第１端部および第２端部の一方に配置された、少なくとも１つの湾曲経路も含む。引き出しは、底面、第１側面、第２側面、前面、および背面を含む。この引き出しの第１側面および第２側面は、滑り機構内部で滑動するピンを有する。滑り機構は、後退位置と、完全に延伸した保守位置との間で、引き出しが滑動することを可能にする。滑り機構はまた、引き出しをハウジングから取り外し、かつハウジング内に再設置することも可能にする。
【図面の簡単な説明】
【０００６】
【図１】ラックの一区域上に設置されたファイバートレイの斜視図である。
【図２】引き出しがハウジングから完全に延伸した状態の、図１のファイバートレイの斜視図である。
【図３】ハウジングの上面が取り外された状態の、図２の引き出し及びハウジングの斜視図である。
【図４Ａ】図３のハウジングの内側側面上に設置される、本発明の滑り機構の側面斜視図である。
【図４Ｂ】図３の引き出しの側面の部分斜視図である。
【図５】ハウジングの上面が取り外された状態の、図１のハウジング内に設置された引き出しの上面図である。
【図６】図５の線６−６に沿った、ハウジング内に設置された引き出しの断面図である。
【図７】延伸位置での、図５の引き出しの断面図である。
【図８】保守位置での、図５の引き出しの断面図である。
【図９】ヒンジピンが、滑り機構内の一次的停止壁部に係合している状態の、図８の引き出しの詳細図である。
【図１０】ヒンジピンが、滑り機構の湾曲経路の第２端部にある状態の、図９と同様の引き出しの詳細図である。
【図１１】ヒンジピンが、滑り機構の湾曲経路の第１端部にある状態の、図９と同様の引き出しの詳細図である。
【図１２】ハウジングから取り外された、図９の引き出しの詳細図である。
【発明を実施するための形態】
【０００７】
図１〜図３は、ラック３０に固定されたハウジング３２を含んだ、ファイバートレイ２０を示している。引き出し４０が、ハウジング３２から延伸する。引き出し４０は、底面４２、右側又は第１側面４４、左側又は第２側面４６、前面４８、および開放後部又は背面５０を有する、金属板の引き出しである。引き出し４０の各側面４４、４６は、ヒンジピン５２を含んでいる。図４Ｂに示すように、ヒンジピン５２は、引き出し４０の各側面４４、４６の後部５０付近に位置している。各ヒンジピン５２は、自己締付ヒンジピンである。
【０００８】
図３に示すように、滑り機構６０は、ハウジング３２の内側側面３６に沿って配置されている。滑り機構６０は、締結具３８によって、ハウジング３２の内側側面３６に固定されている。滑り機構６０は、引き出し４０が、後退位置と、完全に延伸した保守位置と、の間で滑動することを可能にしている。滑り機構６０はまた、必要に応じて、引き出し４０を容易にハウジング３２から取り外し、かつハウジング３２内に再設置することも可能にする。
【０００９】
図４Ａに示すように、滑り機構６０は、滑り機構６０の各端部６２、６４に、一次的停止壁部６６、二次的制止壁部６８、および湾曲経路７０を含んでいる。湾曲経路７０は、概してＣ形状であり、第１開放端部７２および第２端部７４を有する。突起すなわち隆起部７６が、湾曲経路７０の第１開放端部７２に配置されている。突起７６は、引き出し４０を、取り外す際、またはハウジング３２内に設置する際に、制御するためのものである。
【００１０】
垂直経路７８が、湾曲経路７０の第２端部７４から直線経路８０に延びている。直線経路８０は、滑り機構６０の各端部６２、６４において、滑り機構６０内の湾曲経路７０を連結した一次的停止壁部６６から延びている。
【００１１】
滑り機構６０の一次的停止壁部６６は、引き出し４０がハウジング３２から完全に延伸すると、引き出し４０がハウジング３２から取り外されることが可能となる前に、引き出し４０を強制的に停止させる。二次的制止壁部６８は、引き出し４０が停止する前に、引き出し４０が偶発的に湾曲経路７０内に滑り込むことを防止している。概してＣ形状の湾曲経路７０は、引き出し４０の非意図的な移動を制限している。それゆえ、一次的停止壁部６６、二次的制止壁部６８、および湾曲経路７０は、引き出し４０の移動を制御および維持する機構を提供している。結果として、引き出し４０を延伸位置または後退位置に維持するために、別個の係止機構は必要とされない。
【００１２】
滑り機構６０の対称性の特徴により、滑り機構６０は、ハウジング３２の左側面上または右側面上のいずれでも使用することが可能となっている。必要とされる滑り機構の設計が１つのみであるため、ファイバートレイ２０内に滑り機構６０を提供するコストは、低減される。
【００１３】
図５および図６は、後退位置での引き出し４０を示している。引き出し４０の側面４４、４６から延出したヒンジピン５２は、滑り機構６０の第２端部６４で、直線経路８０内に配置されている。
【００１４】
図７は、完全に延伸した位置での引き出し４０を示す。引き出し４０の側面４４、４６から延出したヒンジピン５２は、滑り機構６０の第１端部６２で、直線経路８０内に配置されている。図８および図９に示すように、引き出し４０が完全に延伸すると、引き出し４０は、引き出し４０に対する重力の影響により、保守位置へと下方向に傾斜して、定位置で係止する。ヒンジピン５２は、一次的停止壁部６６に係合して、引き出し４０を停止させ、引き出し４０が、滑り機構６０から落下するか、または滑り出ることを防止する。図８に示すように、引き出し４０の底面４２は、ハウジング３２上で支えられる。
【００１５】
図１０〜図１２は、引き出し４０が、ハウジング３２から取り外されるところを示している。引き出し４０を取り外すために、ユーザーは、ヒンジピン５２が滑り機構６０内の湾曲経路７０を辿るように、引き出し４０を導く。
【００１６】
ハウジング３２内へ引き出し４０を設置するプロセスは、引き出し４０の取り外しの逆である。ユーザーは、ヒンジピン５２を、滑り機構６０の湾曲経路７０の第１端部７２に揃えて並べる。次に、ヒンジピン５２が湾曲経路７０に沿って滑動するように、引き出し４０を移動させて、ヒンジピン５２を湾曲経路７０の第２端部７４に到達させる。その時点で、引き出し４０は水平であり、ヒンジピン５２は、滑り機構６０の直線経路８０内へと、垂直経路７８を落下させる。次いで、引き出し４０を、後退位置へと、直線経路８０に沿ってハウジング３２内へ押し戻すことができる。
【００１７】
それゆえ、本発明の滑り機構６０により、ハウジング３２内の、引き出し４０の取り外しおよび設置が容易になる.
【００１８】
更には、本発明の特定の好ましい実施形態が図示され、説明されてきたが、本発明の教示から逸脱することなく、変更および修正を実施し得ることが、当業者には明白であろう。上述の説明および添付の図面に記載される事項は、単に例示としてのみ提供され、限定として提供されるものではない。本発明の実際の範囲は、以下の特許請求の範囲において、それらの適切な、従来技術に基づく観点から見た場合に、規定されるものとする。
【符号の説明】
【００１９】
２０  ・・・ファイバートレイ、      ３０  ・・・ラック、      ３２  ・・・ハウジング、      ３６  ・・・内側側面、      ４０  ・・・引出し、      ４２  ・・・底面、      ４４  ・・・第１側面、      ４６  ・・・第２側面、      ４８  ・・・前面、      ５０  ・・・後部、      ５２  ・・・ヒンジピン、      ６０  ・・・滑り機構、      ６２  ・・・第１端部、      ６４  ・・・第２端部、      ６６  ・・・一次的停止壁部、      ６８  ・・・二次的制止壁部、      ７０  ・・・湾曲経路、      ７６  ・・・突起、      ７８  ・・・垂直経路、      ８０  ・・・直線経路
【図１】
2013511069.tif 000003
【図２】
2013511069.tif 000004
【図３】
2013511069.tif 000005
【図４Ａ】
2013511069.tif 000006
【図４Ｂ】
2013511069.tif 000007
【図５】
2013511069.tif 000008
【図６】
2013511069.tif 000009
【図７】
2013511069.tif 000010
【図８】
2013511069.tif 000011
【図９】
2013511069.tif 000012
【図１０】
2013511069.tif 000013
【図１１】
2013511069.tif 000014
【図１２】
2013511069.tif 000015
【国際調査報告】
2013511069.tif 000016
2013511069.tif 000017